(57)【要約】【課題】冷却温度の異なる商品を同時に収納することのできるショーケースを提供する。【解決手段】側面側通風路２２から下部商品冷却用通風路２４に流入する空気の流量を調整可能に構成したので、下部商品冷却用通風路２４に流入して空気吐出口２４ａから吐出される空気の流量を上部商品冷却用通風路２３に流入して空気吐出口２３ａから吐出される空気の流量と比較して減少させることにより、商品収納部１５の上部と比較して商品収納部１５の下部を高い冷却温度にすることができ、例えばチルド食品と弁当のように冷却温度の異なる商品を同時に収納することができる。【選択図】図３
2006242449.tif 000002
【特許請求の範囲】
【請求項１】
少なくとも前面に開口部を有するショーケース本体と、ショーケース本体内に設けられた商品収納部と、ショーケース本体内に設けられた第１の通風路と、第１の通風路内に配置された冷却器及び送風機と、第１の通風路から分岐して開口部に向かって延びる複数の第２の通風路とを備え、ショーケース本体の開口部の下端側に設けられた空気吸入口から第１の通風路内に吸入した空気を冷却し、各第２の通風路の端部に設けられた空気吐出口からそれぞれ吐出して商品収納部内を冷却するようにしたショーケースにおいて、
第１の通風路から各第２の通風路に流入する空気の流量が互いに異なるように調整可能な流量調整手段を備えた
ことを特徴とするショーケース。
【請求項２】
前記流量調整手段を、第１の通風路と第２の通風路を連通する複数の連通孔と、少なくとも一部の連通孔を閉鎖可能な閉鎖板とから構成した
ことを特徴とする請求項１記載のショーケース。
【請求項３】
前記流量調整手段を、第１の通風路と第２の通風路を連通する一つの連通孔と、連通孔の少なくとも一部を閉鎖可能な閉鎖板とから構成した
ことを特徴とする請求項１記載のショーケース。
【請求項４】
前記閉鎖板を連通孔の閉鎖方向及び開放方向に移動させる開閉手段を備えた
ことを特徴とする請求項２または３記載のショーケース。
【請求項５】
前記開閉手段を、第１の通風路を形成する所定の部材に設けられた長孔と、長孔を介して閉鎖板に連結され、閉鎖板を所定の位置に固定可能な固定部材とから構成した
ことを特徴とする請求項４記載のショーケース。
【発明の詳細な説明】
【技術分野】
【０００１】
本発明は、例えばスーパーマーケット、コンビニエンスストア等の店舗内に設置されるショーケースに関するものである。
【背景技術】
【０００２】
従来、この種のショーケースとしては、少なくとも前面に開口部を有するショーケース本体と、ショーケース本体内に設けられた商品収納部と、ショーケース本体内の底面側から上方に向かって延びる第１の通風路と、第１の通風路内に配置された冷却器及び送風機と、第１の通風路から分岐して開口部に向かって延びる複数の第２の通風路とを備え、ショーケース本体の開口部の下端側に設けられた空気吸入口から第１の通風路に吸入した空気を冷却し、各第２の通風路の端部に設けられた空気吐出口から商品収納部内にそれぞれ吐出するようにしたものが知られている（例えば、特許文献１参照）。
【特許文献１】特開平１０−１４８４４８号公報
【発明の開示】
【発明が解決しようとする課題】
【０００３】
しかしながら、従来のショーケースでは、空気吸入口から第１の通風路に吸入した空気は各第２の通風路にそれぞれ同じ流量に分岐されて空気吐出口から吐出されるため、商品収納部内を部分的に異なる温度に設定することはできない。このため、例えばチルド食品と弁当等のように冷却温度の異なる商品を収納する場合には、それぞれ異なるショーケースが必要となり、売り場面積の小さい店舗内において商品を効率的に収納することができないという問題点があった。
【０００４】
本発明は前記問題点に鑑みてなされたものであり、その目的とするところは、冷却温度の異なる商品を同時に収納することのできるショーケースを提供することにある。
【課題を解決するための手段】
【０００５】
本発明は前記目的を達成するために、少なくとも前面に開口部を有するショーケース本体と、ショーケース本体内に設けられた商品収納部と、ショーケース本体内に設けられた第１の通風路と、第１の通風路内に配置された冷却器及び送風機と、第１の通風路から分岐して開口部に向かって延びる複数の第２の通風路とを備え、ショーケース本体の開口部の下端側に設けられた空気吸入口から第１の通風路内に吸入した空気を冷却し、各第２の通風路の端部に設けられた空気吐出口からそれぞれ吐出して商品収納部内を冷却するようにしたショーケースにおいて、第１の通風路から各第２の通風路に流入する空気の流量が互いに異なるように調整可能な流量調整手段を備えている。
【０００６】
これにより、各第２の通風路に流入する空気の流量が互いに異なる流量に調整されることから、商品収納部内の温度が部分的に異なる温度に設定される。
【発明の効果】
【０００７】
本発明によれば、商品収納部内の温度を部分的に異なる温度に設定することができるので、例えばチルド食品と弁当のように冷却温度の異なる商品を同時に収納することができる。
【発明を実施するための最良の形態】
【０００８】
図１乃至図５は本発明の一実施形態を示すもので、図１はショーケースの全体斜視図、図２はショーケースの正面断面図、図３はショーケースの側面断面図、図４及び図５はダンパの動作を示すショーケースの要部斜視図である。
【０００９】
このショーケースは、前面側、背面側及び一方の側面側に開口部を有するショーケース本体１０と、ショーケース本体１０内に形成された通風路２０とを備えている。
【００１０】
ショーケース本体１０は、上面を開口した箱形状の下部ケース１１と、上面側を覆う天板１２と、左右両側面の他方を覆う側板１３とから構成されている。下部ケース１１は、前面側、背面側、底面側及び一方の側面側を断熱壁１１ａによって覆われるとともに、他方の側面側を側板１３によって覆われている。下部ケース１１の上面開口部は断熱壁１１ａ内の底面と間隔をおいて配置された底板１１ｂによって覆われている。また、下部ケース１１の側板１３側を除く上端外周部にはガラス板１１ｃが設けられ、底板１１ｂ上が側方から視認可能となっている。更に、下部ケース１１の下部には機械室１１ｄが設けられ、機械室１１ｄ内には、図示しない圧縮機、凝縮器及び凝縮器用送風機等の冷凍機器が収容されている。天板１２は、側板１３の上端側と下部ケース１１の幅方向一端側の前後方向中央部から上方に延びる支柱１４によって支持された断熱性の板状部材からなり、底板１１ｂと天板１２との間には商品収納部１５が形成されている。また、商品収納部１５内には上下一対の商品棚１５ａが取付けられ、底板１１ｂ及び各商品棚１５ａのそれぞれの上面に商品が載置されるようになっている。
【００１１】
通風路２０は、下部ケース１１内の底面と底板１１ｂの間に形成された第１の通風路としての底面側通風路２１と、側板１３に沿って上方に延びるように形成された第１の通風路としての側面側通風路２２と、天板１２の下面に形成された第２の通風路としての上部商品冷却用通風路２３と、下側の商品棚１５ａの下面に形成された第２の通風路としての下部商品冷却用通風路２４と、支柱１４の内部に形成された側面側商品冷却用通風路２５とから構成されている。
【００１２】
底面側通風路２１は、前面側、背面側及び一方の側面側の断熱壁１１ａ内に沿って形成された第１の底面側通風路２１ａと、第１の底面側通風路２１ａを除く下部に形成された第２の底面側通風路２１ｂと、第２の底面側通風路２１ｂの上方に形成された第３の底面側通風路２１ｃとに仕切られている。第３の底面側通風路２１ｃ内の他方の側面側には冷却器２６が設けられ、冷却器２６の一方の側面側には冷却器用送風機２７が設けられている。第１の底面側通風路２１ａは、断熱壁１１ａと底板１１ｂとの間に設けられた空気吸入口２１ｄを介して商品収納部１５と連通するとともに、第１の底面側通風路２１ａと第２の底面側通風路２１ｂとの間の仕切板２１ｅに設けられた複数の連通孔２１ｆを介して第２の底面側通風路２１ｂと連通している。第２の底面側通風路２１ｂは、連通孔２１ｆを介して第１の底面側通風路２１ａと連通するとともに、冷却器用送風機２７の下部に設けられた連通孔２１ｇを介して第３の底面側通風路２１ｃと連通している。第３の底面側通風路２１ｃは、連通孔２１ｇを介して第２の底面側通風路２１ｂと連通するとともに、一方の側面側が側面側通風路２２に連通している。
【００１３】
側面側通風路２２は、側板１３と断面Ｕ字状に形成された上下方向に延びるダクト部材２２ａとの間に形成され、上部商品冷却用通風路２３と下部商品冷却用通風路２４にそれぞれ連通するようになっている。側面側通風路２２と下部商品冷却用通風路２４は、ダクト部材２２ａに幅方向に間隔をおいて設けられた３個の連通孔２２ｂによって連通するようになっている。また、左右両端側の連通孔２２ｂは側面側通風路２２内に設けられた閉鎖板としてのダンパ２２ｃによって開閉するようになっている。ダンパ２２ｃは、Ｕ字状に形成された板状部材からなり、ダクト部材２２ａに設けられた上下方向に延びる幅方向一対の長孔２２ｄを介してつまみネジや蝶ネジ等の固定部材２２ｅにより長孔２２ｄの範囲内で上下方向移動自在に支持されている。このとき、左右両端側の連通孔２２ｂは、長孔２２ｄの上端側に固定部材２２ｅが位置するようにダンパ２２ｃを移動させることにより閉鎖され、下端側に固定部材２２ｅが位置するようにダンパ２２ｃを移動させることにより開放されるようになっている。
【００１４】
上部商品冷却用通風路２３は天板１２の下面を他方の側面側から一方の側面側に向かって延びるように形成され、その前面側、背面側及び一方の側面側の端部にはそれぞれ空気吐出口２３ａが設けられている。
【００１５】
下部商品冷却用通風路２４は下側の商品棚１５ａの下面を他方の側面側から一方の側面側に向かって延びるように形成され、その前面側及び背面側の端部にはそれぞれ空気吐出口２４ａが設けられている。また、下部商品冷却用通風路２４の一方の側面側の端部は、側面側商品冷却用通風路２５と連通するようになっている。
【００１６】
側面側商品冷却用通風路２５は、支柱１４内を上下方向に延びるように形成され、一方の側面側に複数の空気吐出口２５ａが設けられている。
【００１７】
以上のように構成されたショーケースにおいて、前面側、背面側及び一方の側面側の開口部下端の空気吸入口２１ｄから冷却器用送風機２７によって第１の底面側通風路２１ａ内に吸入された空気は、第２の底面側通風路２１ｂを介して第３の通風路２１ｃ内に流入して冷却器２６によって冷却される。冷却器２６によって冷却された空気は、側面側通風路２２から上部商品冷却用通風路２３及び下部商品冷却用通風路２４にそれぞれ分岐して流通し、上部商品冷却用通風路２３に流入した空気は各空気吐出口２３ａから吐出される。また、下部商品冷却用通風路２４に流入した空気は一部が前端側及び後端側の空気吐出口２４ａから吐出されるとともに、その他の空気は側面側商品冷却用通風路２５に流入して各空気吐出口２５ａから一方の側面側に向かって吐出される。これにより、商品収納部１５内は冷却され、各商品棚１５ａ及び底板１１ｂに載置された商品は冷却保存される。
【００１８】
このとき、ダクト部材２２ａに設けられたダンパ２２ｃが下側に位置しているときには、図４に示すように、側面側通風路２２と下部商品冷却用通風路２４を連通する３個の連通孔２２ｂは全て開放されている。これにより、上部商品冷却用通風路２３及び下部商品冷却用通風路２４を流通する空気によって、商品収納部１５内は均一の温度に冷却される。
【００１９】
また、ダンパ２２ｃが上側に位置しているときには、図５に示すように、左右両端側の連通孔２２ｂが閉鎖され、中央部の連通孔２２ｂのみが開放される。これにより、下部商品冷却用通風路２４に流入して空気吐出口２４ａから吐出される空気の流量が減少するため、商品収納部１５の上部（各商品棚１５ａ上）と比較して商品収納部１５の下部（底板１１ｂ上）を高い冷却温度とすることが可能となる。
【００２０】
このように、本実施形態のショーケースによれば、側面側通風路２２から下部商品冷却用通風路２４に流入する空気の流量を調整可能に構成したので、下部商品冷却用通風路２４に流入して空気吐出口２４ａから吐出される空気の流量を上部商品冷却用通風路２３に流入して空気吐出口２３ａから吐出される空気の流量と比較して減少させることにより、商品収納部１５の上部と比較して商品収納部１５の下部を高い冷却温度にすることができ、例えばチルド食品と弁当のように冷却温度の異なる商品を同時に収納することができる。
【００２１】
また、側面側通風路２２と下部商品冷却用通風路２４をダクト部材２２ａに幅方向に間隔をおいて設けられた３個の連通孔２２ｂによって連通するとともに、左右両端側の連通孔２２ｂをダクト部材２２ａに上下方向移動自在に設けられたダンパ２２ｃによって開閉するようにしたので、簡単な構成により側面側通風路２２から下部商品冷却用通風路２４に流入する空気の流量を変更することができ、製造コストの低減を図ることができる。
【００２２】
また、ダンパ２２ｃを閉鎖方向及び開放方向に移動可能に構成したので、ダンパ２２ｃを取外すことなく連通孔２２ｂを閉鎖及び開放することができ、連通孔２２ｂの開閉動作を行う際の操作性の向上を図ることができる。
【００２３】
また、ダクト部材２２ａに設けられた長孔２２ｄとダンパ２２ｃに連結された固定部材２２ｅによって連通孔２２ｂを開閉するようにしたので、簡単な操作によって連通孔２２ｂを開閉することができ、更に連通孔２２ｂの開閉動作を行う際の操作性の向上を図ることができる。
【００２４】
尚、前記実施形態では、側面側通風路２２と下部商品冷却用通風路２４をダクト部材２２ａに幅方向に間隔をおいて設けられた３個の連通孔２２ｂによって連通するとともに、左右両端側の連通孔２２ｂをダクト部材２２ａに上下方向移動自在に設けられたダンパ２２ｃによって開閉するようにしたものを示したが、図６及び図７に示すように、側面側通風路２２と下部商品冷却用通風路２４をダクト部材２２ａに幅方向に間隔をおいて設けられた一つの連通孔２２ｆによって連通するとともに、連通孔２２ｆの一部をダクト部材２２ａに上下方向移動自在に設けられたダンパ２２ｃによって開閉するようにしても前記実施形態と同様の効果を得ることができる。この場合、連通孔の開口率を変更することにより、商品収納部内に吐出する空気の流量を任意に設定することが可能となる。
【００２５】
また、前記実施形態では、側面側通風路２２と下部商品冷却用通風路２４のみを連通孔２２ｂによって連通するとともに、ダンパ２２ｃによって連通孔を開閉するようにしたものを示したが、下部商品冷却用通風路２４だけでなく側面側通風路２２と上部商品冷却用通風路２３を連通孔によって連通するとともに、連通孔をダンパによって開閉するようにしてもよい。この場合、上部商品冷却用通風路２３及び下部商品冷却用通風路２４に流入する空気の流量をそれぞれ調整することができ、商品収納部１５内の上部及び下部の温度をそれぞれより確実に設定することができる。
【図面の簡単な説明】
【００２６】
【図１】本発明の一実施形態を示すショーケースの全体斜視図
【図２】ショーケースの正面断面図
【図３】ショーケースの側面断面図
【図４】ダンパの動作を示すショーケースの要部斜視図
【図５】ダンパの動作を示すショーケースの要部斜視図
【図６】その他の例を示すショーケースの要部斜視図
【図７】その他の例を示すショーケースの要部斜視図
【符号の説明】
【００２７】
１０…ショーケース本体、１５…商品収納部、２０…通風路、２１…底面側通風路、２２…側面側通風路、２２ａ…ダクト部材、２２ｂ…連通孔、２２ｃ…ダンパ、２２ｄ…長孔、２２ｅ…固定部材、２３…上部商品冷却用通風路、２４…下部商品冷却用通風路、２５…側面側商品冷却用通風路。
【図１】
2006242449.tif 000003
【図２】
2006242449.tif 000004
【図３】
2006242449.tif 000005
【図４】
2006242449.tif 000006
【図５】
2006242449.tif 000007
【図６】
2006242449.tif 000008
【図７】
2006242449.tif 000009